(57)【要約】【課題】  スキャナ装置一体型画像形成装置と、スキャナ装置分離型画像形成装置の２つのタイプの画像形成装置に使用することができるスキャナ装置の外装カバー、スキャナ装置、及び画像形成装置を提供することを目的とする。【解決手段】  画像形成装置上に取付可能なスキャナ装置のカバー部材を、スキャナ装置の側部を覆うスキャナカバー部と画像形成装置の一部を覆う画像形成装置カバー部とを一体で、かつ、前記スキャナカバー部と前記画像形成装置カバー部とを分離可能な分離部を設けて形成した。【選択図】  図２
2006237761.tif 000002
【特許請求の範囲】
【請求項１】
画像形成装置上に取付可能なスキャナ装置のカバー部材であって、
スキャナ装置の側部を覆うスキャナカバー部と画像形成装置の一部を覆う画像形成装置カバー部とを一体で、かつ、前記スキャナカバー部と前記画像形成装置カバー部とを分離可能な分離部を設けて形成したことを特徴とするスキャナ装置のカバー部材。
【請求項２】
前記分割部を他の部分より薄肉に形成したことを特徴とする請求項１のスキャナ装置の外装カバー部材。
【請求項３】
前記分割部を外装カバーの裏面側に設けたことを特徴とする請求項１または２のスキャナ装置の外装カバー。
【請求項４】
前記分割部に隣接するスキャナカバー部及び画像形成装置カバー部の少なくとも一方にはリブ部材を形成したことを特徴とする請求項１ないし３のいずれかのスキャナ装置のカバー部材。
【請求項５】
前記リブ部材は、前記分割部に沿って設けられることを特著とする請求項４のスキャナ装置のカバー部材。
【請求項６】
請求項１ないし５のいずれかのカバー部材を備えたスキャナ装置。
【請求項７】
請求項１ないし５のいずれかのカバー部材のうちスキャナカバー部を備えたスキャナ装置。
【請求項８】
請求項６のスキャナ装置を備えたことを特徴とする画像形成装置。
【請求項９】
請求項１ないし５のいずれかのカバー部材のうち画像形成装置カバー部を備えたことを特徴とする画像形成装置。
【発明の詳細な説明】
【技術分野】
【０００１】
本発明はスキャナ装置の外装カバー、スキャナ装置、及び画像形成装置に係り、特にスキャナを画像形成装置本体から分離して配置することができるスキャナ装置の外装カバー、スキャナ装置、及び画像形成装置に関する。
【背景技術】
【０００２】
画像形成装置には、スキャナ装置を備えた複写装置などの多機能画像形成装置（ＭＦＰ）がある。このような画像形成装置は、一般にスキャナ装置が画像形成装置本体の上側に一体として配置されている。ところで近年、米国のリハビリテーション５０８条法に代表されるように、行政機関における情報通信技術（ＩＣＴ）を活用した行政情報や公的資金によって設立された交通や通信など公的なサービスを提供する民間企業を対象に、その調達においてアクセシビリティ要件を満たすことを、刑法と民法が定めるところの罰則と責任の下に義務として課すものが、欧米諸国において増えてきている。
【０００３】
そのアクセシビリティ用件を満たすために、上述したスキャナ装置等を備えた多機能画像形成装置においては、画像の印刷等を行う画像形成装置本体と、原稿の読み取りを行うスキャナ装置とを分離をして例えばスキャナ装置を低い位置に別個に配置し、座ったまま容易に画像形成装置を使用できるようにしている。
【０００４】
このような装置の場合、同一のスキャナ装置と画像形成装置本体を使用した同一機種の画像形成装置であっても、スキャナ装置一体型画像形成装置用と、スキャナ装置分離配置型画像形成装置とに対応できるようしておく必要がある。このような場合、スキャナ装置一体型画像形成装置では、スキャナ装置と画像形成装置をそれらの連続している部分を一枚の外装カバーで覆うことができる。一方スキャナ装置分離型画像形成装置では、スキャナ装置の外装カバーと画像形成装置の外装カバーとは別個のものとして構成する必要がある。
【０００５】
特許文献１には装置構造体が上下に２分割自在となっている画像形成装置において、上部構造体に設けられ、この上部構造体を持ち運ぶとき、手でつかむための把手部材と、この把手部材を被係止部材として、この被係止部材を係止することにより、上部構造体を下部構造体に対して動かぬように固定保持する係止部材とをそれぞれ有し、係止部材を固定係止ネジとし、把手部材を、指が入り、且つ、固定係止ネジが格納されてしまう凹窪部を有する把手部材とすると共に、把手部材の凹窪部内に、指の挿入を不能とするようなカバー部材を付設し、そのカバー部材を固定係止ネジで下部構造体の側に止めるようにした画像形成装置が記載されている。
【０００６】
特許文献２には、装置本体の一部に形成され、オプション配線を接続するための接続部を保護する保護カバーにおいて、前記接続部に対して、前記保護カバーを階へ自在に接続しておくためのヒンジ部と、前記オプション配線を装置本体内に導くための配線出口を保護し、且つ、前記保護カバーが前記ヒンジを介して開放自在になるように前記装置本体及び保護カバーから切り離れる配線出口カバーと、前記オプション配線を前記保護カバーと共に前記装置本体に固定する固定手段とをそなえた外装カバーが記載されている。
【０００７】
特許文献３には、製品の外装カバーをある大きさの外装カバーに分割し、分割された外装カバーを組合わせて製品の外装を行うものが記載されている。
【０００８】
特許文献４には、画像読み取り装置１を、画像出力装置３に合体させた状態及びその画像出力装置から分離させた状態の双方で使用できるように構成した。画像出力装置３に画像読み取り装置１の底部を嵌合させて合体させるための凹部６を形成し、画像読み取り装置１の底部をその凹部６に適合する形状に形成したものが記載されている。
【特許文献１】特許第３１７６９８２号公報
【特許文献２】実願平０３−９５６８７号公報
【特許文献３】特開平６−１０００１２号公報
【特許文献４】特開平１１−４１３９２号公報
【発明の開示】
【発明が解決しようとする課題】
【０００９】
しかしながら、上述したように、スキャナ装置一体型画像形成装置と、スキャナ装置分離型画像形成装置の２つのタイプ別に外装カバーを準備すると外装カバー製造用の金型が２つになりコストが嵩むほか、設計が複雑になるという問題がある。
【００１０】
本発明は、スキャナ装置一体型画像形成装置と、スキャナ装置分離型画像形成装置の２つのタイプの画像形成装置に使用することができるスキャナ装置の外装カバー、スキャナ装置、及び画像形成装置を提供することを目的とする。
【課題を解決するための手段】
【００１１】
請求項１の発明は、画像形成装置上に取付可能なスキャナ装置のカバー部材であって、スキャナ装置の側部を覆うスキャナカバー部と画像形成装置の一部を覆う画像形成装置カバー部とを一体で、かつ、前記スキャナカバー部と前記画像形成装置カバー部とを分離可能な分離部を設けて形成した。
【００１２】
請求項２の発明は、請求項１のスキャナ装置のカバー部材において、前記分割部を他の部分より薄肉に形成したことを特徴とする。
【００１３】
請求項３の発明は、１または２のスキャナ装置のカバー部材において、前記分割部を外装カバーの裏面側に設けたことを特徴とする請求項。
【００１４】
請求項４の発明は、請求項１ないし３のいずれかのスキャナ装置のカバ部材において、前記分割部に隣接するスキャナカバー部及び画像形成装置カバー部の少なくとも一方にはリブ部材を形成したことを特徴とする。
【００１５】
請求項５の発明は、請求項４のであるスキャナ装置のカバー部材において、前記リブ部材は、前記分割部に沿って設けられることを特徴とする。
【００１６】
請求項６の発明は、請求項１ないし５のいずれかのカバー部材を備えたことを特徴とすることを特徴とするスキャナ装置である。
【００１７】
請求項７の発明は、請求項１ないし５のいずれかのカバー部材のうちスキャナカバー部を備えたことを特徴とするスキャナ装置である。
【００１８】
請求項８の発明は、請求項６のスキャナ装置を備えたことを特徴とする画像形成装置である。
【００１９】
請求項９の発明は、請求項１ないし５のいずれかのカバー部材のうち画像形成装置カバー部を備えたことを特徴とする画像形成装置である。
【発明の効果】
【００２０】
本発明に係るスキャナ装置のカバー部材によれば、スキャナ装置一体型画像形成装置と、スキャナ装置分離型画像形成装置の２つのタイプ別に外装カバーを準備する必要がなくなり、コスト及び手間を省くことができるという効果がある。
【発明を実施するための最良の形態】
【００２１】
以下本発明を実施するための最良の形態としての実施例を図面に基づいて説明する。
【実施例】
【００２２】
図１は実施例に係る画像形成装置を示す斜視図、図１は実施例に係る画像形成装置を示す斜視図、図３は図２中のＡ−Ａ線に相当するスキャナ装置のカバー部材の断面図である。
【００２３】
本例に係る画像形成装置１００は、図１に示すように、画像形成装置本体１０にスキャナ装置２０が一体として取り付けられている。本例では画像形成装置本体１０とスキャナ装置２０との側部には、1枚の外装カバー３０が両者の側面を覆うように取り付けられている。
【００２４】
本例では、外装カバー３０は分割ライン３３の上部をスキャナカバー部３１と画像形成装置本体カバー部３２とを一体に形成したものである。
【００２５】
本例では、図３に示すように、外装カバー３０にはその内側に外装カバーの内側に凹部３４を設けて薄肉部３５を設け、人の手や簡単な冶具で分割することができるようにしている。そして、スキャナ装置を分離するときには、スキャナ装置２０に外装カバー３０のスキャナカバー部３１だけを残し他の画像形成装置本体カバー部３２を切り離すものとする。  
【００２６】
また、本例では、外装カバー３０の内側であって前記凹部３４の両側には、凹部３４に沿ってリブ３６，３７を形成し、スキャナ装置２０のブラケットに当接するものとし外装カバー３０の強度を向上させている。
【００２７】
本例では、図１に示すように、画像形成装置１００を画像形成装置本体１０とスキャナ装置２０とを一体として構成するときには、外装カバー３０をそのまま使用することができる。また、図２に示すように、画像形成装置本体１０から画像形成装置２０を分離し手構成するときには、外装カバー３０をスキャナ装置２０の高さに合わせて、分割ライン３３で分割し、外装カバー３０のうち必要のない部分、即ち画像形成装置本体カバー部３２を分離して使用する。なお、図中２１はスキャナ装置２０のコンタクトガラスを示している。
【００２８】
以上説明したように、本例によれば、１つの外装カバーでスキャナ一体型画像形成装置においても、スキャナ分離型画像形成装置においても共通の外装カバーを使用することができる。
【図面の簡単な説明】
【００２９】
【図１】実施例に係る画像形成装置を示す斜視図である。
【図２】実施例に係るスキャナ装置及びそのカバー部材を示す斜視図である。
【図３】図２中のＡ−Ａ線に相当するスキャナ装置のカバー部材の断面図である
【符号の説明】
【００３０】
１・・・装置
３・・・画像出力装置
６・・・凹部
１０・・・画像形成装置本体
２０・・・スキャナ装置
３０・・・外装カバー
３１・・・スキャナカバー部
３２・・・画像形成装置本体カバー部
３３・・・分割ライン
３４・・・凹部
３５・・・薄肉部
３６，３７・・・リブ
１００・・・画像形成装置
【図１】
2006237761.tif 000003
【図２】
2006237761.tif 000004
【図３】
2006237761.tif 000005